(57)【特許請求の範囲】
【請求項１】
自動販売機の外扉に画成したディスプレイ室内に配置して販売商品の見本を展示する商品ディスプレイ装置であり、商品見本を左右一列に搭載したディスプレイ台をディスプレイ室の背後に配した中扉の扉板上に配置し、該ディスプレイ台を前記扉板に固定した取付基台の左右端から前方に突き出すブラケットの間に架け渡して搭載支持したものにおいて、前記取付基台のブラケットにその軸部が縦長な偏平形の支軸を設け、該支軸に対向してディスプレイ台の左右側壁には、前記支軸の偏平な軸部が通過可能なように、その周縁一部が側壁前縁に開口するΩ形の軸穴を形成し、ディスプレイ台を前方へ倒した姿勢で支軸から取り外し可能に嵌め合い結合したことを特徴とする自動販売機の商品ディスプレイ装置。
【請求項２】
請求項１記載の商品ディスプレイ装置において、支軸がその軸部先端に二股状の爪部を形成した鍔付きの樹脂成形品であり、その爪部を取付基台のブラケットに開口した穴へ差し込んで係止固定したことを特徴とする自動販売機の商品ディスプレイ装置。
【発明の詳細な説明】
【０００１】
【発明の属する技術分野】
本発明は自動販売機の外扉に設けた商品ディスプレイ装置に関する。
【０００２】
【従来の技術】
頭記した自動販売機の商品ディスプレイ装置として、商品見本（ダミー缶など）を左右一列に搭載した横長なディスプレイ台を、照明用蛍光灯と組合せて自動販売機の外扉に画成したディスプレイ室内に上下段に並べて配置し、その前面側に商品見本と個々に対応して商品選択ボタンを配備したものが公知である。
【０００３】
図３，図４はかかる商品ディスプレイ装置を備えた自動販売機の構成図であり、図において、１は自動販売機のキャビネット、２はその前面外扉、３は外扉２に画成したディスプレイ室、４は商品取出口であり、ディスプレイ室３にはその前面に配した商品選択ボタン５と対応して左右に並ぶ商品見本６を搭載したディスプレイ台７が上下段に組み込まれ、図４に示すように外扉２の背面に設けた中扉８の前面に設置されている。
【０００４】
また、前記ディスプレイ台７の取付け構造として、図５（ａ），（ｂ）で示すように、従来ではディスプレイ台７をコ字形になる横長な取付基台９（この取付基台９は図４に示した中扉８の扉板にねじ止め固定されている）の左右端から前方に突き出すブラケット９ａの間に架け渡し、さらにディスプレイ台７の左右両端から下方に垂下する側壁７ａとブラケット９ａとの間を前部側に配置した段付きねじ１０で軸支結合し、該段付きねじ１０を支点にディスプレイ台７を前方へ傾動可能に支持している。なお、１１は取付基台９に取付けて商品見本６を照明する蛍光灯、１２はディスプレイ台７の端部にはめ込む化粧用の端蓋である。
【０００５】
かかる構成で、メンテナンス時には中扉８を開いた上でディスプレイ台７を矢印Ｐ方向に倒し、この状態でディスプレイ室３，商品見本６の清掃、商品見本，蛍光灯１１の交換などの作業を行うようにしている。
【０００６】
【発明が解決しようとする課題】
ところで、前記した従来のディスプレイ台取付け構造では、ディスプレイ室の清掃性，取扱い面などで次記のような難点がある。すなわち、
１）ディスプレイ台７は段付きねじ１０で取付基台９に結合されており、ディスプレイ室内を清掃する際にディスプレイ台７を前傾姿勢に倒せても、その位置からディスプレイ台が簡単に取り外せないために清掃の邪魔になる。
【０００７】
２）商品見本６を交換する場合でも、ディスプレイ台７を取付基台９に結合したままの状態で作業を行わなければならず作業がやり難い。
３）ディスプレイ台７をディスプレイ室から取り外すには、段付きねじ１０を緩めるねじ操作が必要でその着脱作業が面倒で大がかりになることから、ルートマンの巡回による通常のメンテナンス作業では簡単に対応できない。
【０００８】
本発明は上記の点にかんがみなされたものであり、ディスプレイ室の清掃，商品見本の交換などメンテナンスが作業性よく行えるように改良した商品ディスプレイ装置を提供することを目的とする。
【０００９】
【課題を解決するための手段】
上記目的を達成するために、本発明によれば、自動販売機の外扉に画成したディスプレイ室内に配置して販売商品の見本を展示する商品ディスプレイ装置であり、商品見本を左右一列に搭載したディスプレイ台をディスプレイ室の背後に配した中扉の扉板上に配置し、該ディスプレイ台を前記扉板に固定した取付基台の左右端から前方に突き出すブラケットの間に架け渡して載置支持したものにおいて、前記取付基台のブラケットにその軸部が縦長な偏平形の支軸を設け、該支軸に対向してディスプレイ台の左右側壁には、前記支軸の偏平な軸部が通過可能なように、その周縁一部が側壁前縁に開口するΩ形の軸穴を形成し、ディスプレイ台を前方へ倒した姿勢で支軸から取り外し可能に嵌め合い結合するものとする（請求項１）。
【００１１】
また、支軸として、その軸部先端に二股状の爪部を形成した鍔付きの樹脂成形品を使用し、その爪部を取付基台のブラケットに開口した穴へ差し込んで係止固定することができる。
前記の構成によれば、メンテナンス時にディスプレイ台を前傾姿勢に倒した位置で上方に引き上げると、ディスプレイ台が支軸から抜け出て取付基台から簡単に取り外すことができる。これにより、障害物（ディスプレイ台，商品見本）の無い状態でディスプレイ室内を清掃できる。また、販売商品の変更などに伴って商品見本を交換する場合でも、ディスプレイ台をディスプレイ室から簡単に取り外して別な場所で交換作業が行える。
【００１２】
【発明の実施の形態】
以下、本発明の実施例を図面に基づいて説明する。なお、実施例の図中で図５，図６に対応する同一部材には同じ符号が付してある。
〔実施例１〕
図１，図２は本発明の請求項１，３に対応する実施例を示すものである。この実施例においては、図６における段付きねじ１０に代えて、図２（ａ）  で示すような形状になる樹脂成形品の支軸１３を使用する。すなわち、支軸１３は円盤状の鍔部１３ａから断面形状が小判形な偏平軸部１３ｂが突き出ており、かつ軸部１３ｂの先端には二股状に分かれた楔状の係止爪部１３ｃが形成された構造になる。そして、図２（ｂ）  で示すように取付基台９のブラケット９ａにディスプレイ台７の側壁７ａを重ね合わせた状態で両者を貫通するように支軸１３を嵌挿し、かつ前記した偏平軸部１３ｂが縦向きとなるような姿勢に定めた上で、先端爪部１３ｃをブラケット９ａに係止固定する。
【００１３】
一方、ディスプレイ台７の側壁７ａには、前記支軸１３に嵌め合う軸穴として、図１に示すように円形穴の周縁一部を側壁７ａの前縁に開口したΩ形の軸穴７ｂが形成されている。ここで、軸穴７ｂの丸穴部分の直径は、先記した支軸１３の偏平軸部１３ｂの縦寸法に合わせて設定し、切欠きスリット状の開口幅は偏平軸部１３ｂの横幅よりも一回り大きい程度に狭めて設定されている。
【００１４】
かかる構成で、図１（ａ）  で示すように、取付基台９の上にディスプレイ台７を架け渡して商品見本６を直立姿勢に保持した展示状態では、ディスプレイ台７の軸穴７ｂの開口部が前方を向いており、ディスプレイ台は支軸１３から抜け出ないように展示位置に係止拘束されている。一方、図１（ｂ）  で示すように、ディスプレイ室を清掃するなどのメンテナンス時に、支軸１３を支点にディスプレイ台７を矢印▲１▼のように前方に倒すと、軸穴７ａの開口部が下を向くようになる。したがって、この位置からディスプレイ台７を矢印▲２▼のように上方へ引き上げると、支軸１３の偏平軸部が軸穴７ｂの開口部をすり抜けるので、ディスプレイ台７を取付基台９から簡単に取り外すことができる。なお、取り外したディスプレイ台７を再び装着するには、前記と逆な手順でディスプレイ台７を横に寝かした姿勢で軸穴７ｂを支軸１３に嵌め込み、次いで支軸１３を支点に上方へ回転させることにより図１（ａ）  の展示状態に戻る。
【００１５】
また、支軸１３として図２で述べたような係止爪付きの樹脂成形品を採用することで、取付基台への装着が締結ねじなどを使わずに簡単に行える。
【００１８】
【発明の効果】
以上述べたように、本発明の構成によれば、自動販売機の前面外扉に画成したディスプレイ室内に商品見本を搭載したディスプレイ台を組み込んだ構成の商品ディスプレイ装置について、ディスプレイ室，ディスプレイ台の清掃，商品見本，蛍光灯の交換などのメンテナンスを行う際に、ねじの操作などを一切必要とせずに、ディスプレイ台を展示位置から簡単に外してディスプレイ室から外部に取り出すことができる。
【００１９】
これにより、ディスプレイ室内の清掃が邪魔物無しに行えるほか、ディスプレイ台自身は水洗も可能となり、さらには商品見本を交換する場合でも、ディスプレイ台を別な場所に移して作業が行えるなど、商品ディスプレイ装置に対するメンテナンス作業性の大幅な改善が図れる。
【図面の簡単な説明】
【図１】本発明の実施例１に対応する実施例の構成図であり、（ａ）  はディスプレイ台をディスプレイ室内の展示位置にセットした取付け状態図、（ｂ）  はディスプレイ台を取り外す際の手順を表した説明図
【図２】図１のディスプレイ装置に採用した支軸の構成図であり、（ａ）  は支軸の外形斜視図、（ｂ）  は支軸の取付け状態を表すディスプレイ装置の端部の正面図
【図３】商品ディスプレイ装置を装備した自動販売機の外観図
【図４】図３における前面外扉の中扉を開いてディスプレイ台を露呈させた状態図
【図５】従来におけるディスプレイ台の取付け構造図であり、（ａ）はディスプレイ台と取付基台との分解斜視図、（ｂ）はディスプレイ台を取付基台に軸支結合したセット状態での要部の拡大斜視図
【符号の説明】
２    前面外扉
３    ディスプレイ室
５    商品選択ボタン
６    商品見本
７    ディスプレイ台
７ａ  側壁
７ｂ  軸穴
７ｃ  係合ガイド溝
８    中扉
９    取付基台
９ａ  ブラケット
１３    支軸
１３ａ  鍔部
１３ｂ  偏平軸部
１３ｃ  爪部
１４    支軸
【図１】
0003555811.tif 000002
【図２】
0003555811.tif 000003
【図３】
0003555811.tif 000004
【図４】
0003555811.tif 000005
【図５】
0003555811.tif 000006